(57)【要約】【課題】医用画像の患者情報については、すべての出力装置で出力する場合において、統一のフォーマット、言語及び位置にて出力することを可能にする。【解決手段】医用画像を受信し、受信した医用画像に文字認識を施すことで患者情報を抽出し、抽出した患者情報に対応するフォーマットデータを取得し、その取得したフォーマットデータに基づいて当該患者情報を画像データに変換し、変換した画像データと、受信した医用画像を合成して医用画像データを作成し、作成した医用画像データを記録媒体上に画像形成する。【選択図】図１
2006340904.tif 000002
【特許請求の範囲】
【請求項１】
医用画像を受信する受信手段と、
前記受信手段により受信された医用画像を文字認識する文字認識手段と、
前記文字認識手段により文字認識された文字情報から患者情報を抽出する抽出手段と、
前記抽出手段により抽出された当該患者情報のフォーマットデータを記憶する記憶手段と、
前記記憶手段に記憶された当該患者情報のフォーマットデータを取得する取得手段と、
前記取得手段により取得されたフォーマットデータに基づいて当該患者情報を画像データに変換する変換手段と、
前記受信された医用画像と、前記変換手段により変換された患者情報とを合成して医用画像データを作成する合成手段と、
前記合成手段により作成された当該医用画像データを記録媒体上に画像形成する画像形成手段と、
を備えることを特徴とする医用画像出力システム。
【請求項２】
前記フォーマットデータは、当該患者情報のフォントサイズ、フォントタイプ、言語種類及び位置データを含み、前記フォーマットデータに基づいて当該患者情報を記録媒体上に統一して画像形成させることを特徴とする請求項１に記載の医用画像出力システム。
【請求項３】
前記受信手段により受信した医用画像の記録媒体上への配置方法、配置サイズを指定する指定手段を更に備え、
前記合成手段は、前記指定手段により指定された配置方法、配置サイズに基づいた医用画像と前記変換手段により変換された患者情報とを合成して医用画像データを作成することを特徴とする請求項１又は２に記載の医用画像出力システム。
【請求項４】
前記合成手段により作成された医用画像データを表示させる表示手段を更に備え、
前記指定手段は、前記表示手段により表示された医用画像データに含まれる患者情報について、フォントサイズ及びフォントタイプのみ変更可能であることを特徴とする請求項１から３の何れか一項に記載の医用画像出力システム。
【請求項５】
コンピュータを、
医用画像を受信する受信手段、
前記受信手段により受信された医用画像を文字認識させる文字認識手段、
前記文字認識手段により文字認識された文字情報から患者情報を抽出させる抽出手段、
前記抽出手段により抽出された当該患者情報のフォーマットデータを記憶させる記憶手段、
前記記憶手段に記憶された当該患者情報のフォーマットデータを取得させる取得手段と、
前記取得手段により取得されたフォーマットデータに基づいて当該患者情報を画像データに変換させる変換手段、
前記受信された医用画像と、前記変換手段により変換された患者情報とを合成して医用画像データを作成させる合成手段、
前記合成手段により作成された当該医用画像を記録媒体上に画像形成させる画像形成手段、
として機能させることを特徴とする医用画像出力プログラム。
【発明の詳細な説明】
【技術分野】
【０００１】
本発明は、受信した医用画像情報及び患者文字情報を所定のフォーマット形式に変換して転送し、前記所定のフォーマット形式の医用画像情報及び患者文字情報を記録媒体上に画像形成する医用画像出力システム及び医用画像出力プログラムに関する。
【背景技術】
【０００２】
従来から、ＣＴ（Computed Tomography）や、ＣＲ（Computed Radiography）、ＭＲＩ（Magnetic Resonance Imaging）、超音波診断装置等といった様々な医用画像生成装置によって撮影、生成された医用画像を、フィルムや記録媒体上等に画像形成して出力する医用画像出力システムが知られている。以下、医用画像生成装置を診断装置と称す。
【０００３】
医用画像出力システムは、診断装置と、当該診断装置によって生成された医用画像データをＤＩＣＯＭ（Digital Imaging and Communications in Medicine）規格のデータに変換する医用画像変換装置（以下、変換装置）と、この変換された医用画像データのハードコピーを作成する医用波像形成装置（以下、出力装置）とを備えて構成される。
【０００４】
図８は、診断装置により生成された医用画像の一例である。図８に示すように、医用画像は、被写体の断層画像である診断画像と、患者のＩＤ番号、氏名、性別及び年齢等の患者情報により構成される。
【０００５】
ところで、出力装置が受信する患者情報は、ＪＩＳコード等の文字データであることが一般であり、出力装置は、当該文字データに基づいて患者情報の文字列を画像形成する。この場合、患者情報は、出力装置ごとに予め設定されているフォントサイズ及びフォントタイプで画像形成される。そのため、出力装置の種類によって、フォントサイズ及びフォントタイプが異なり、患者情報が見にくくなってしまうことがあった。さらに、記録媒体上に拡大もしくは縮小して画像形成された医用画像に対して、患者情報が大きすぎたり小さすぎたりする不具合が起こり、バランスの悪い医用画像が画像形成されてしまうことがあった。
【０００６】
最近では、変換装置側でフォントサイズ、フォントタイプを指定して変換し、変換した患者情報と診断画像により医用画像を画像形成できる画像処理装置が開示されている（特許文献１、参照。）。
【特許文献１】特開２００２−１９０９３７号公報
【発明の開示】
【発明が解決しようとする課題】
【０００７】
しかしながら、特許文献１の発明では、変換装置側でフォントサイズ、フォントタイプを指定し変換しても、出力装置が、変換装置により送信されたフォントサイズ、フォントタイプに対応していなければならない。
【０００８】
また、患者情報には、患者のＩＤ番号、氏名、性別及び年齢等、複数の情報があり、これらのうち画像形成する情報の出力は、出力装置側の仕様に制限されてしまう。さらに、患者情報を画像形成する位置は、出力装置毎に設定されているため、フォントサイズ、フォントタイプの種類によって、設定されている位置に収まらないという問題があった。また、記録媒体上に医用画像データと共に患者情報を画像形成する場合に、出力装置の種類によって、患者情報の位置が異なって画像形成されるため、複数枚の医用画像について、患者情報を確認する場合に、確認し辛いという問題があった。さらに、患者情報の位置のみならず、言語も統一されていなかった。
【０００９】
本発明は、上述した課題に鑑みてなされたものであり、その目的とするところは、医用画像のフォーマットを自由に設定可能であり、患者情報を、統一のフォーマット、言語及び位置にて出力することが可能な医用画像出力システムを実現することである。
【課題を解決するための手段】
【００１０】
上記課題を解決するために、請求項１に記載の発明は、医用画像を受信する受信手段と、前記受信手段により受信された医用画像を文字認識する文字認識手段と、前記文字認識手段により文字認識された文字情報から患者情報を抽出する抽出手段と、前記抽出手段により抽出された当該患者情報のフォーマットデータを記憶する記憶手段と、前記記憶手段に記憶された当該患者情報のフォーマットデータを取得する取得手段と、前記取得手段により取得されたフォーマットデータに基づいて当該患者情報を画像データに変換する変換手段と、前記受信された医用画像と、前記変換手段により変換された患者情報とを合成して医用画像データを作成する合成手段と、前記合成手段により作成された当該医用画像データを記録媒体上に画像形成する画像形成手段とを備えることを特徴としている。
【００１１】
請求項２に記載の発明は、請求項１に記載の医用画像出力システムにおいて、前記フォーマットデータは、当該患者情報のフォントサイズ、フォントタイプ、言語種類及び位置データを含み、前記フォーマットデータに基づいて当該患者情報を記録媒体上に統一して画像形成させることを特徴としている。
【００１２】
請求項３に記載の発明は、請求項１又は２に記載の医用画像出力システムにおいて、前記受信手段により受信した医用画像の記録媒体上への配置方法、配置サイズを指定する指定手段を更に備え、前記合成手段は、前記指定手段により指定された配置方法、配置サイズに基づいた医用画像と前記変換手段により変換された患者情報とを合成して医用画像データを作成することを特徴としている。  
【００１３】
請求項４に記載の発明は、請求項１から３の何れか一項に記載の医用画像出力システムにおいて、前記合成手段により作成された医用画像データを表示させる表示手段を更に備え、前記指定手段は、前記表示手段により表示された医用画像データに含まれる患者情報について、フォントサイズ及びフォントタイプのみ変更可能であることを特徴としている。
【００１４】
請求項５に記載の発明は、コンピュータを、医用画像を受信する受信手段、前記受信手段により受信された医用画像を文字認識させる文字認識手段、前記文字認識手段により文字認識された文字情報から患者情報を抽出させる抽出手段、前記抽出手段により抽出された当該患者情報のフォーマットデータを記憶させる記憶手段  前記記憶手段に記憶された当該患者情報のフォーマットデータを取得させる取得手段と、前記取得手段により取得されたフォーマットデータに基づいて当該患者情報を画像データに変換させる変換手段、前記受信された医用画像と、前記変換手段により変換された患者情報とを合成して医用画像データを作成させる合成手段、前記合成手段により作成された当該医用画像を記録媒体上に画像形成させる画像形成手段
として機能させることを特徴としている。
【発明の効果】
【００１５】
本発明によれば、予め患者情報を画像出力する際のフォーマットデータを記憶させておき、様々な診断装置から受信する医用画像を文字認識することにより抽出した患者情報を、当該フォーマットに基づいて変換し、画像データと合成して出力させることにより、診断装置によってフォーマットが変わってしまうことなく、すべてのフィルムにおいて同一の位置に、同一の言語にて患者情報を印字させることが可能となる。
【００１６】
また、フォーマットデータのうち、フォントタイプ、フォントサイズは変更可能とすることにより、画像データとのバランスのよいフィルムを作成できると共に、ユーザの自由度を向上させることができる。
【発明を実施するための最良の形態】
【００１７】
以下、図を参照して、本発明の実施形態について詳細に説明する。
【００１８】
図１は、本実施形態に係る医用画像出力システム５０のシステム構成の一例を示す図である。図に示すように、医用画像出力システム５０は、診断装置１ａから出力される医用画像をコントローラ２ａの指示に従って転送する変換装置３ａと、診断装置１ｂから出力される医用画像データをコントローラ２ｂの指示に従って転送する変換装置３ｂと、フィルム出力装置４ａ及び４ｂと、サーバ５と、情報管理サーバ６とが通信ネットワークＮを介して接続されて構成されている。
【００１９】
ここで、通信ネットワークＮは、例えば、公衆回線、電話回線、ＩＳＤＮ回線、無線回線、専用線等のネットワークである。この通信ネットワークＮは、任意な時に接続が可能であればよく、常時接続されている必要はない。また、通信ネットワークＮは、情報管理の信頼性の観点から、特定のユーザのみアクセス可能なセキュリティを確保していることが望ましい。
【００２０】
診断装置１ａ、１ｂは、撮影した医用画像のデータ（アナログ又はデジタルのビデオ信号であり、このデータを以下、医用画像データと称す。）を生成する医用画像生成装置である。診断装置１ａ、１ｂとしては、Ｘ線を照射して撮影を行うと共に、当該撮影により輝尽性蛍光体プレートに記憶されたＸ線画像を読取、デジタルデータとして生成するＣＲやＣＴ、また、Ｘ線に限らずＭＲＩや超音波診断装置等が適用可能である。
【００２１】
診断装置１ａ、１ｂは、制御部、撮影部、表示部、入力部、通信インターフェイス部等を備えて構成される。制御部は、撮影部が撮影した被写体画像に、入力部から入力された患者ＩＤや氏名、性別、年齢等の患者情報を合成して医用画像データを生成し、通信インターフェイス部を介してコントローラ２ａ、２ｂ及び変換装置３ａ、３ｂへ送信する。
【００２２】
コントローラ２ａ、２ｂは、例えば、医用画像の配置方法の設定や、その設定に基づいて医用画像を配置した場合の医用画像のコマ位置を表すイメージ画像の表示出力等を行う。
【００２３】
情報管理サーバ６は、ＰＣ（Personal Computer）等により構成され、ＨＤＤ（ハードディスク）等のＤＢ（データベース）格納手段６ａを備えている。ＤＢ格納手段６ａは、患者ＩＤや氏名、性別、年齢等の患者情報を日本語（漢字等）で格納している。また、フィルムに出力する患者情報のフォーマットデータを格納している。例えば、一般に使用されている診断装置の多くは、患者の氏名、性別をローマ字で入力し、ローマ字による患者情報と医用画像データを合成し、フィルム出力装置へ出力している。一方、新機種の診断装置では、漢字による入力が可能となっている。従って、装置によって、ローマ字によるものと漢字によるものと錯綜するため、すべて漢字に統一する必要がある。従って、情報管理サーバ６は日本語で患者情報を格納すると共に、それに対応する患者情報フォーマットデータを格納している。そして、変換装置より、医用画像データから取得された患者情報が送信されると、その情報に基づいて、患者情報フォーマットデータを取得し、そのデータを変換装置へ送信するのである。これにより、患者情報をすべて漢字に統一することができる。
【００２４】
また、言語の統一に限らず、フォントサイズ、フォントタイプも予め設定することにより統一可能である。このフォントサイズ、フォントタイプは、コントローラ２ａ、２ｂにより変更可能としてもよい。
【００２５】
さらに、情報管理サーバ６は、患者情報を記録媒体上に画像形成する位置を確定する位置データを格納する。この位置データも同様に、予め設定されているデータである。患者情報フォーマットデータと共に、位置データを送信することにより、記録媒体上に画像形成される患者情報の言語、フォントサイズ、フォントタイプ及び位置等が統一される。従って、情報管理サーバ６は、フォーマットデータとして患者情報フォーマットデータと位置データを格納している。
【００２６】
なお、上述した設定は、ユーザにより変更可能であるものとし、施設ごとに施設の仕様に基づいた設定が可能である。
【００２７】
変換装置３ａ、３ｂは、診断装置１ａ、１ｂから出力される医用画像データを１データずつ読み込んで、その医用画像データをＤＩＣＯＭ規格に従ってデータ変換し、変換したデータから患者情報（文字情報）を抽出し、その文字情報を情報管理サーバ６へ送信する。そして、情報管理サーバ６より、患者情報フォーマットデータ及び位置データを取得し、取得したデータと医用画像データを指定された出力装置へ出力する。
【００２８】
フィルム出力装置４ａ、４ｂは、変換装置３ａ、３ｂから転送されたＤＩＣＯＭ規格に変換されたデータのうち患者情報に対応する患者情報フォーマットデータ及び位置データと、画像フォーマットデータに基づいた画像データをフィルム上（記録媒体）に画像形成して出力する医用画像形成装置であり、制御部、記憶部、画像メモリ、露光部、現像部、通信部、排出部等を備えて構成される。フィルムは、ＰＥＴ（ポリエチレンテレフタレート）等の支持体上に、感光性及び感熱性の感光材料を含有する乳剤が塗付されて、感光層が形成されたものである。
【００２９】
このフィルムは、制御部が搬送部を制御することにより、各構成部へ搬送される。露光部は、フィルム上にレーザ光を照射して露光を行い、変換装置３ａ、３ｂから転送された
データに基づいて画像の潜像を形成する。現像部は、露光後のフィルムを加熱してふぉ光により形成された潜像を現像する。そして、現像されて排出されたフィルムが排出部から排出される。なお、医用画像形成装置をフィルム出力装置に適用する構成としたが、これに限られず、例えば、レーザプリンタやインクジェットプリンタ等の画像形成装置に適用する構成としてもよい。
【００３０】
ユーザは、診断装置１ａ、１ｂで撮影、生成された医用画像データをフィルム出力するか否かをコントローラ２ａ、２ｂを用いて決定する。コントローラ２ａ、２ｂには、フィルム１ページごとのイメージ画像を表示部に表示出力させる。
【００３１】
ユーザは、コントローラ２ａ、２ｂを操作して、医用画像の配置方法を設定し確定すると、診断装置１ａ又は１ｂで生成された医用画像は変換装置３ａ又は３ｂによりデータ変換される。そして、変換されたデータは、予め設定されているフィルム出力装置４ａ又は４ｂに通信ネットワークＮを介して転送される。フィルム出力装置４ａ又は４ｂは、変換装置３ａ又は３ｂから送信される各フォーマットデータに基づいて画像と患者情報をフィルム上に画像形成する。
【００３２】
サーバ５は、変換装置３ａ、３ｂで変換された医用画像データや、情報管理サーバ６から取得した患者情報のフォーマットデータを蓄積して記憶するデータベース等を備えて構成される。なお、サーバ５は、データベースに記憶した医用画像データ及び各フォーマットデータに基づいた画像を表示出力できるビューワ等を更に備える構成としてもよい。
【００３３】
なお、診断装置１ａと診断装置１ｂ、コントローラ２ａとコントローラ２ｂ、変換装置３ａと変換装置３ｂ、フィルム出力装置４ａとフィルム出力装置４ｂはそれぞれ同様の構成であるため、以下、診断装置１ｂ、コントローラ２ｂ、変換装置３ｂ、フィルム出力装置４ｂの詳細な説明は省略する。また、診断装置１ａ、コントローラ２ａ、変換装置３ａ、出力装置４ａを用いて、構成及び動作の説明をする。
【００３４】
図２に、コントローラ２ａの主要部構成を示す。図に示すように、コントローラ２ａは、ＣＰＵ（Central Processing Unit）１０、表示部１１、入力部１２、通信インターフェイス部１３、記憶装置１４、ＲＡＭ（Random Access Memory）１５により構成される。なお、コントローラ２ｂも同様の構成であり、同様の動作を実行する。
【００３５】
ＣＰＵ１０は、入力される指示に応じて、所定のプログラムに基づいた処理を実行し、各機能部への指示やデータの転送を行う中央演算装置である。具体的にＣＰＵ１０は、入力部１２から入力される操作信号に応じて、記憶装置１４に記憶されたプログラムを読み出し、当該プログラムに従った処理を実行する。そして、その処理結果を表示部１１に表示させる。
【００３６】
表示部１１は、ＣＲＴ（Cathode-ray Tube）やＬＣＤ（Liquid Crystal Display）等により構成され、ＣＰＵ１０ｃから入力される表示データに基づいて各種画面を表示出力する。
【００３７】
入力部１２は、カーソルキー、テンキー及び各種ファンクションキー等を有するキーボードやマウス等のポインティングデバイスを備え、押下されたキーの押下信号や、マウスの位置信号等をＣＰＵ１０に出力する。
【００３８】
通信インターフェイス部１３は、診断装置１ａから出力される医用画像データを受信・復調したり、ＲＡＭ１５に記憶された画像フォーマットデータ１５ａ及びフィルムサイズ１５ｂを変換装置３ａ、３ｂへ送信したりする機能部であり、例えば、ＲＳ２３２Ｃ等のシリアルインターフェイスや、セントロニクスなどのパラレルインターフェイス、ＵＳＢ等により構成される。
【００３９】
記憶装置１４は、例えば、ＨＤＤ（Hard Disk Device）により構成されるデータの読み書き可能な記憶媒体を備えた機能部であり、各種プログラムやデータを記憶している。
【００４０】
ＲＡＭ１５は、ＣＰＵ１０によって実行される各種プログラムをプログラム格納エリアに展開する。ＲＡＭ１５は、各種プログラムの実行時に生じる処理結果等のデータをワークエリアに一時的に記憶する。図に示すように、ＲＡＭ１５は、画像フォーマットデータ１５ａと、フィルムサイズ１５ｂを格納している。
【００４１】
画像フォーマットデータ１５ａは、医用画像をフィルム上にどのようなコマ配置で配置するかという医用画像の配置方法であり、ユーザにより設定される。ＣＰＵ１０は、表示部１１に所定の入力フォームを表示させ、ユーザの入力部１２の操作に従って、画像フォーマットデータ１５ａを指定及び設定する。この入力フォームは、例えば、“２×２”や“３×３”といった“横コマ数×縦コマ数”の数値形式で医用画像の配置方法を入力させるものであってもよいし、医用画像を表す所定のアイコンの移動によってその配置をグラフィカルに入力させるものであってもよい。
【００４２】
図３は、画像フォーマットデータ１５ａに従って医用画像を配置した際の、フォーマット例を示す図である。例えば、“２×２”という配置方法を表す画像フォーマットデータ１５ａでは、医用画像ＰＣ１〜ＰＣ４が図３（ａ）のように配置される。また、“３×３”という配置方法を表す画像フォーマットデータ１５ａによって、医用画像ＰＣ１〜ＰＣ９が同図（ｂ）のように配置される。また、“一行目に３コマ、２行目に２コマ”医用画像を配置するという配置方法を表す画像フォーマットデータ１５ａでは、医用画像ＰＣ１〜ＰＣ５が同図（ｃ）のように配置される。このように、医用画像の配置方法は、コントローラ２ａによって適宜指定することができる。
【００４３】
フィルムサイズ１５ｂは、医用画像を画像形成させるフィルムのサイズ情報であり、ユーザにより瀬手値される。コントローラ２ａのＣＰＵ１０は、ユーザの指示入力に従って、画像フォーマットデータ１５ａとフィルムサイズ１５ｂとを変換装置１ａへ通信インターフェイス部１３を介して送信する。なお、画像フォーマットデータ１５ａとフィルムサイズ１５ｂは、コントローラ２ａで設定する構成としたが、これに限定されず、例えば、診断装置１ａで設定可能としてもよい。
【００４４】
次に、図４に、変換装置３ａの主要部構成の一例を示す。図に示すように、変換装置３ａは、制御部２０、記憶装置２４、入力インターフェイス部２８、電源部２９等により構成される。
【００４５】
記憶装置２４は、光学的、磁気的にデータの読み書きを行う記憶媒体を備えた機能部であり、例えば、ＨＤＤ等により構成される。
【００４６】
入力インターフェイス部２８は、診断装置１ａから送信された医用画像データを受信する機能部であり、例えば、ＲＳ２３２Ｃ等のシリアルインターフェイスや、セントロニクスなどのパラレルインターフェイス、ＵＳＢ等により構成される。
【００４７】
電源部２９は、変換装置３ａの各部に電力を供給する。
【００４８】
制御部２０は、ＣＰＵ２１、ＩＤＥ（Integrated Drive Electronics）２２、シリアルインターフェイス２３、文字認識処理部２５、メモリ２６、通信装置２７により構成される。
【００４９】
ＣＰＵ２１は、記憶装置２４に格納されたプログラムを読み出し、当該プログラムに従って、各部の動作を制御する。具体的には、診断装置１ａから出力される医用画像データを入力インターフェイス２８を介して受信すると、ＣＰＵ２１は、文字認識処理部２５を制御し、当該医用画像データに含まれる文字パターンマッチングやＯＣＲなどによって文字認識することで、患者情報を抽出する。なお、医用画像データ中の文字を認識する技術は、適宜公知技術を採用してよい。
【００５０】
ＣＰＵ２１は、文字認識により患者情報を取得すると、取得した患者情報を通信管理サーバ６へ送信する。そして、予め設定された患者情報フォーマットデータと、患者情報を記録媒体上に出力する際の位置データを取得する。なお、文字認識により認識した患者情報が、患者ＩＤのみであったり、詳細な患者情報が不足していた場合は、情報管理サーバ６から患者情報フォーマットデータ取得の際に、合わせて取得する。
【００５１】
一方、ＣＰＵ２１は、コントローラ２ａ、２ｂから送信された画像フォーマット情報をシリアルインターフェイス２３を介して受信する。そして、情報管理サーバ６から取得した患患者情報フォーマットデータと、位置データと、画像フォーマットデータを用いてテンプレートデータを作成し、通信装置２７を介してフィルム出力装置へ転送する。
【００５２】
メモリ２６は、ＣＰＵ２１が実行する各種プログラムや、これらのプログラムの実行に係るデータ等を一時的に格納する記憶領域である。
【００５３】
図５に、変換装置３ａ、３ｂの記憶装置２４及びメモリ２６のデータ構成の一例を示す。図５（ａ）が、記憶装置２４のデータ構成の一例であり、図５（ｂ）が、メモリ２６のデータ構成の一例である。
【００５４】
図５（ａ）に示すように、記憶装置２４は、医用画像転送プログラム２４１及び医用画像テーブル２４２を記憶している。医用画像転送プログラムは、医用画像転送処理（図７参照）を実現するためのプログラムである。医用画像テーブル２４２は、診断装置１ａ、１ｂから送信された医用画像データを蓄積的に記憶するデータテーブルである。
【００５５】
図５（ｂ）に示すように、メモリ２６は、最大出力サイズ２６０、１ピクセルサイズ２６１、患者情報設定項目２６２、患者情報２６３、画像フォーマットデータ２６４、フィルムサイズ２６５、１コマ画像領域サイズ２６６、テンプレートデータ２６７、位置データ２６８、患者情報フォーマットデータ２６９を記憶している。ＣＰＵ２１は、最大出力サイズ２６０、１ピクセルサイズ２６１、患者情報設定項目２６２、患者情報２６３、画像フォーマットデータ２６４、フィルムサイズ２６５、１コマ画像領域サイズ２６６、位置データ２６８、患者情報フォーマットデータ２６９に基づいてテンプレートを作成する。テンプレートデータ２６７は、医用画像データ及び患者情報２６３を画像フォーマットデータ２６４、位置データ２６８及び患者情報フォーマットデータ２６９に基づいて合成したテンプレート画像である。
【００５６】
次に、図６を参照しつつ図７のフローチャートを参照して、変換装置３ａのテンプレートデータ２６７を作成して、フィルム出力装置へ転送するまでの医用画像転送処理について説明する。
【００５７】
まず、ＣＰＵ２１は、医用画像転送処理を開始すると、予めフィルム出力装置４ａ、４ｂに設定されたフィルム毎の最大出力サイズ２６０と、１ピクセルサイズ２６１とを当該フィルム出力装置４ａ、４ｂから取得する（ステップＳ１）。
【００５８】
最大出力サイズ２６０は、画像形成領域情報であり、フィルム毎の医用画像及び患者情報を画像形成可能な最大領域の縦辺及び横辺のピクセル数で表される。１ピクセルサイズ２６１は、フィルム出力装置４ａ、４ｂが画像形成する際の１ドットの大きさである。
【００５９】
ステップＳ１において、フィルム毎の最大出力サイズ２６０及び１ピクセルサイズ２６１を取得すると、患者情報設定項目２６２の決定をする（ステップＳ２）。患者情報設定項目２６２は、フィルム上に画像形成する患者情報の項目の種類等である。
【００６０】
ステップＳ２において、患者情報設定項目２６２を決定すると、ＣＰＵ２１は、診断装置１ａ、１ｂから送信される医用画像データを入力インターフェイス部２８を介して受信する（ステップＳ３）。
【００６１】
ステップＳ３において、医用画像データを受信すると、受信した当該医用画像データから患者情報を取得する（ステップＳ４）。具体的には、医用画像テーブル２４２に記憶されている医用画像データ中に含まれる文字列の文字認識をＯＣＲやパターン認識等によって行って、その認識結果からＩＤ番号、氏名、性別、年齢及び病院管理番号等を取得する。尚、患者情報２６３の取得方法は、例えば、医用画像データからＩＤ番号を取得して、そのＩＤ番号を情報管理サーバ６に送信し、当該情報管理サーバ６から患者情報の項目を得るようにしてもよい。
【００６２】
ステップＳ４において、当該医用画像データより患者情報を取得すると、その患者情報を情報管理サーバ６へ当該患者情報を送信する。そして、情報管理サーバ６にて、患者情報フォーマットデータ２６９と、位置データ２６９を取得する（ステップＳ５）。ステップＳ５において、患者情報フォーマットデータ２６９及び位置データ２６９を取得すると、シリアルインターフェイス２３を介してコントローラ２ａから送信される画像フォーマットデータ及びフィルムサイズを取得して、メモリ２６の画像フォーマットデータ２６４及びフィルムサイズ２６５としてそれぞれ記憶する（ステップＳ６）。
【００６３】
ＣＰＵ２１は、画像フォーマットデータ２６４及びフィルムサイズ２６５等を用いて、画像描画領域と文字描画領域とを算出する（ステップＳ７）。ステップＳ７において画像描画領域及び文字描画領域とを算出した後、１コマ画像領域サイズ２６６算出する（ステップＳ８）。
【００６４】
ステップＳ８において、１コマ画像領域サイズ２６６を算出すると、医用画像テーブル２４２に記憶された医用画像データを、当該１コマ画像領域サイズ２６６まで拡大又は縮小する画像加工を行う（ステップＳ９）。そして、患者情報２６３を患者情報フォーマットデータ２６９及び位置データ２６９に従った画像データに変換する（ステップＳ１０）。このように、文字データである患者情報２６３を画像データに変換することで、フィルム出力装置では、単に画像データである患者情報を画像形成すればよい。このため、フィルム出力装置の仕様に制限されることなく、統一した患者情報のレイアウトが可能となる。
【００６５】
ＣＰＵ２１は、患者情報フォーマットデータ２６８及び位置データ２６９に基づいた画像データの患者情報と、拡縮後の医用画像データとをテンプレートデータ２６７内に埋め込んでフォーマットし、ＤＩＣＯＭ規格に準拠した画像データであるテンプレートデータ２６７を作成する（ステップＳ１１）。ここでＣＰＵ２１が作成するテンプレートデータ２６７の大きさは、フィルムサイズ２６５のフィルムにフィルム出力装置４ａ、４ｂが画像形成可能な最大出力サイズに合わせた大きさに設定される。
【００６６】
ステップＳ１１において、テンプレートデータ２６７を作成すると、テンプレートデータ２６７を所定のフィルム出力装置４ａ、４ｂに送信した後に（ステップＳ１２）、医用画像転送処理を終了する。
【００６７】
一方、フィルム出力装置４ａ、４ｂは、変換装置から送信されたテンプレートデータ２６７を受信して（ステップＳ１３）、当該データに基づいた画像をフィルム上に画像形成して出力する（ステップＳ１４）。  
【００６８】
以上のように、情報管理サーバに予め患者情報のフォーマットデータ及び位置情報を記憶させておくことにより、診断装置によって患者情報の表示位置、表示言語、表示項目が異なっていても、記憶されているフォーマットデータに基づいてそれらを変換することで、フィルム上の同一の位置に同一の言語、フォントサイズ、フォントタイプにて画像形成させることが可能となる。従って、診断装置によるフィルム記載情報の違いを無くし、すべて統一させることができることため、ユーザに見やすいフィルムを提供することが可能となる。
【００６９】
また、予め設定されている画像フォーマットデータに基づいて医用画像データのレイアウトが決定されるが、フィルム装置の種類によって、自由にレイアウトを設定変更でき、さらに、画像の拡大縮小ができることにより、自由なフォーマットで医用画像を配置して出力させることが可能となる。また、これに伴って、変換されたフォントサイズ、フォントタイプのみに関しては、ユーザによる変更可能とすることにより、一番見やすい表示によりフィルムを出力させることが可能となる。
【図面の簡単な説明】
【００７０】
【図１】本実施形態に係る、医用画像出力システムのシステム構成の一例を示す図である。
【図２】図１の医用画像出力システムを構成するコントローラの主要部構成の一例を示す図である。
【図３】医用画像のフォーマット例を示す図である。
【図４】図１の医用画像出力システムを構成する変換装置の主要部構成の一例を示す図である。
【図５】本実施形態における（ａ）は記憶装置のデータ構成、（ｂ）はメモリのデータ構成の一例を示す図である。
【図６】テンプレートデータの説明に使用する図である。
【図７】図４の変換装置で実行される処理を示すフローチャートである。
【図８】医用画像フィルムの一例を示す図である。
【符号の説明】
【００７１】
１ａ、１ｂ  診断装置
２ａ、２ｂ  コントローラ
３ａ、３ｂ  変換装置
４ａ、４ｂ  フィルム出力装置
５  サーバ
６  情報管理サーバ  
６ａ  データベース格納手段
１０  ＣＰＵ
１１  表示部
１２  入力部
１３  通信インターフェイス部
１４  記憶装置
１５  ＲＡＭ
１５ａ  画像フォーマットデータ
１５ｂ  フィルムサイズ
２０  制御部
２１  ＣＰＵ
２２  ＩＤＥ
２３  シリアルインターフェイス
２４  記憶装置
２４１  医用画像転送プログラム
２４２  医用画像テーブル
２５  文字認識処理部
２６  メモリ
２６０  最大主力サイズ
２６１  １ピクセルサイズ
２６２  患者情報設定項目
２６３  患者情報
２６４  画像フォーマットデータ
２６５  フィルムサイズ
２６６  １コマ画像領域サイズ
２６７  テンプレートデータ
２６８  位置データ
２６９  患者情報フォーマットデータ
２７  通信装置
２８  入力インターフェイス
２９  電源部
５０  医用画像出力システム
Ｎ  通信ネット−ワーク
【図１】
2006340904.tif 000003
【図２】
2006340904.tif 000004
【図３】
2006340904.tif 000005
【図４】
2006340904.tif 000006
【図５】
2006340904.tif 000007
【図６】
2006340904.tif 000008
【図７】
2006340904.tif 000009
【図８】
2006340904.tif 000010